(57)【要約】【課題】微細なスケールが発生する環境のもとで使用される回転軸軸受を保護するためのシール装置として、既存設備等に対しても容易に設置することが可能で、かつ適切にスケールの侵入を抑止することができる回転軸軸受のシール装置を提供する。【解決手段】ロール４のロール軸４ａを支持する軸受６を保護するためのシール装置であって、ロール軸４ａを上下方向から挟むようにして２分割され、互いの一部が重なり合うようにして、軸受６の軸受ケース７のロール軸４ａが挿入される側の面を覆うように軸受ケース７に取り付けられる２枚の保護カバー（上部保護カバー１と下部保護カバー２）と、ロール軸４ａに取り付けられ、上部保護カバー１と下部保護カバー２枚の間に挟み込まれて摺動するドーナツ形状の摺動板３とを備えている。【選択図】図１
2007146981.tif 000002
【特許請求の範囲】
【請求項１】
回転軸軸受を保護するためのシール装置であって、回転軸を挟んで２分割され、互いの一部が重なり合うようにして、軸受ケースの回転軸が挿入される側の面を覆うように軸受ケースに取り付けられる２枚の保護カバーと、回転軸に取り付けられ、重なり合う２枚の保護カバーの間に挟み込まれて摺動する摺動板とを備えていることを特徴とする回転軸軸受のシール装置。
【請求項２】
保護カバーで覆われた内部をエアパージするための導圧管を備えていることを特徴とする請求項１に記載の回転軸軸受のシール装置。
【発明の詳細な説明】
【技術分野】
【０００１】
本発明は、鋼板のコールドレベラのロール用軸受等のように、操業によって微細なスケールが発生する環境のもとで使用される回転軸軸受を保護するための回転軸軸受のシール装置に関するものである。
【背景技術】
【０００２】
鋼板のコールドレベラのロール用軸受等のように、操業によって微細なスケールが発生する環境のもとで使用される回転軸軸受においては、スケールが堆積して、その高さがダストシールの位置まで達すると、回転軸の回転によってスケールがダストシールを引っかき、ダストシールの破損、ひいては、回転軸軸受の損傷に至ってしまう。
【０００３】
これに対して、このような環境のもとで使用される回転軸軸受を保護するために、従来、以下のような方法がとられていた。
【０００４】
例えば、ロールの下方にスケールスルースを設け、落下したスケールを水流により排出するようにする（例えば、特許文献１参照。）。
【０００５】
または、軸受部にダストシールを多段に設け、軸受にスケールが侵入し難いようにする（例えば、特許文献２参照。）。
【０００６】
または、スケールの溜まりスペースを設け、溜まりスペースを定期的に清掃するようにする。
【特許文献１】特開昭５９−０６４１４８号公報
【特許文献２】特開平１０−２３８５４１号公報
【発明の開示】
【発明が解決しようとする課題】
【０００７】
しかし、特許文献１に記載の技術のようにスケールスルースを設ける方法は、スケールスルースの設置に多額の費用がかかり、熱間圧延設備のように多量のスケールが発生する設備以外では投資に見合わない。
【０００８】
また、特許文献１に記載の技術のようにダストシールを多段に設ける方法は、既存設備の場合等においては、新たにダストシールを多段に取り付けるスペースの確保が難しいし、取り付けるスペースを無理に確保したとしても、回転軸を機械加工する費用がかかる上に、軸径が細くなることにより軸強度が低下するという問題がある。
【０００９】
また、スケールの溜まりスペースを設ける方法は、操業状況によっては、スケールの発生が予想より多くなり、予定した定期清掃では間に合わなくて、スケールが軸受に侵入してしまうことがある。また、既存設備の場合等においては、新たに溜まりスペースを確保することが難しい。
【００１０】
本発明は、上記のような事情に鑑みてなされたものであり、微細なスケールが発生する環境のもとで使用される回転軸軸受を保護するためのシール装置として、既存設備等に対しても容易に設置することが可能で、かつ適切にスケールの侵入を抑止することができる回転軸軸受のシール装置を提供することを目的とするものである。
【課題を解決するための手段】
【００１１】
上記の課題を解決するために、本発明は以下の特徴を有する。
【００１２】
［１］回転軸軸受を保護するためのシール装置であって、回転軸を挟んで２分割され、互いの一部が重なり合うようにして、軸受ケースの回転軸が挿入される側の面を覆うように軸受ケースに取り付けられる２枚の保護カバーと、回転軸に取り付けられ、重なり合う２枚の保護カバーの間に挟み込まれて摺動する摺動板とを備えていることを特徴とする回転軸軸受のシール装置。
【００１３】
［２］保護カバーで覆われた内部をエアパージするための導圧管を備えていることを特徴とする前記［１］に記載の回転軸軸受のシール装置。
【発明の効果】
【００１４】
本発明においては、軸受ケースに取り付けられる２枚の保護カバーと、２枚の保護カバーの間に挟み込まれて摺動する摺動板とによって構成されているので、既存設備等に対しても容易に設置することが可能で、かつ適切にスケールの侵入を抑制することができる。
【発明を実施するための最良の形態】
【００１５】
本発明の実施形態を図１に基づいて説明する。
【００１６】
図１（ａ）は、本発明の一実施形態に係る回転軸軸受のシール装置の側面図であり、図１（ｂ）は、図１（ａ）におけるＡ−Ａ矢視図である。
【００１７】
図１（ａ）、（ｂ）に示すように、この実施形態に係るシール装置は、ロール４のロール軸（回転軸）４ａを支持する軸受６を保護するためのシール装置であって、ロール軸４ａを上下方向から挟むようにして２分割され、互いの一部が重なり合うようにして、軸受６の軸受ケース７のロール軸４ａが挿入される側の面を覆うように軸受ケース７に取り付けられる２枚の保護カバー（上部保護カバー１と下部保護カバー２）と、ロール軸４ａに取り付けられ、上部保護カバー１と下部保護カバー２枚の間に挟み込まれて摺動するドーナツ形状の摺動板３とを備えている。
【００１８】
ここで、上部保護カバー１と下部保護カバー２は薄板を製缶加工したもので、上部保護カバー１は、上方と正面と側方が塞がった構造であり、下部保護カバー２は、正面と側方が塞がった構造である。そして、それぞれの保護カバー１、２は軸受ケース７にビス止めで取り付けられている。
【００１９】
また、上部保護カバー１と下部保護カバー２の間は摺動板３によってシールされるが、摺動板３は、摩擦抵抗の低い例えばＭＣナイロン等を素材としており、厚さは１ｍｍ程度で、内径はロール軸４ａの外径に合わせて製作されている。
【００２０】
なお、上部保護カバー１の上面には、保護カバー１、２で覆われた内部をエアパージするための導圧管８が取り付けられている。
【００２１】
上記のように構成されたシール装置においては、操業によって発生した微細なスケールの堆積高さがダストシール５の位置まで達しても、スケールがダストシールに直接接触することは無い。また、スケール自身の摩擦抵抗によって、下部保護カバー２の下方の隙間から保護カバー内にスケールが侵入することもない。
【００２２】
なお、上部保護カバー１と下部保護カバー２の間は摺動板３によってシールされているが、必ずしも完璧なシールではないので、そこから若干のスケールが保護カバー内に侵入する可能性がある。しかし、保護カバー内に侵入したスケールの堆積高さがダストシール５の位置まで達するまでの時間は長く、十分なスケール清掃期間をとることが可能となる。また、必要に応じて、導圧管８から圧縮空気を噴出して保護カバー内のスケールを下部保護カバー２の下方の隙間から排出することで、さらにスケール清掃期間を延長することも可能である。
【００２３】
そして、摺動板３は、内径がロール軸４ａの外径に合わせて製作されているので、ロール軸４ａの機械加工は不要であり、軸強度低下の問題が生じることはない。
【００２４】
上記のようにして、この実施形態においては、軸受ケース５に取り付けられる２枚の保護カバー１、２と、２枚の保護カバー１、２の間に挟み込まれて摺動する摺動板３とによって構成されているので、既存設備等に対しても低コストで容易に設置することが可能であり、それによって適切にスケールの侵入を抑制することができる。
【図面の簡単な説明】
【００２５】
【図１】本発明の一実施形態の説明図である。
【符号の説明】
【００２６】
１  上部保護カバー
２  下部保護カバー
３  摺動板
４  ロール
４ａ  ロール軸
５  ダストシール
６  軸受
７  軸受ケース
８  導圧管
【図１】
2007146981.tif 000003